(57)【要約】本発明は、電子技術の分野に属し、キー領域の厚さを薄くすることができるＩＴＯ薄膜および端末装置を提供している。前記ＩＴＯ薄膜は、光拡散用のパターンを含む。【選択図】図２Ａ
2015534698.tif 000002
【特許請求の範囲】
【請求項１】
光拡散用のパターンを含むことを特徴とするＩＴＯ薄膜。
【請求項２】
前記ＩＴＯ薄膜は、ＩＴＯ層、光伝導性材料層およびＰＥＴ層を含み、  前記ＩＴＯ層および前記光伝導性材料層は、それぞれ前記ＰＥＴ層の両側に貼り合わせられ、  前記光伝導性材料層には、前記パターンが形成されている  ことを特徴とする請求項１に記載のＩＴＯ薄膜。
【請求項３】
前記ＩＴＯ薄膜は、ＩＴＯ層およびＰＥＴ層を含み、  前記ＰＥＴ層の前記ＩＴＯ層側と反対の側に、前記パターンを形成するための凹凸点が形成されている  ことを特徴とする請求項１に記載のＩＴＯ薄膜。
【請求項４】
タッチパネルを含み、  前記タッチパネルは、透明カバープレート、ＩＴＯ薄膜およびＬＣＤモジュールを含み、  前記透明カバープレートは、前記ＬＣＤモジュールと貼り合わせられ、  前記ＩＴＯ薄膜は、光拡散用のパターンを備え、且つ前記透明カバープレートと貼り合わせられ、  前記ＩＴＯ薄膜と前記透明カバープレートとの貼り合わせ位置は、端末装置のキー領域に位置している  ことを特徴とする端末装置。
【請求項５】
前記パターンは、前記キー領域のキーの位置における部分が、キー以外の位置における部分より密集していることを特徴とする請求項４に記載の端末装置。
【請求項６】
前記端末装置は、さらに、前記キー領域の延在方向の側面に位置する少なくとも１つの発光部品を含み、  前記パターンは、前記発光部品からの距離が遠い部分ほど密集している  ことを特徴とする請求項４に記載の端末装置。
【請求項７】
前記ＩＴＯ薄膜は、ＩＴＯ層、光伝導性材料層、およびＰＥＴ層を含み、  前記ＩＴＯ層、および前記光伝導性材料層は、それぞれ前記ＰＥＴ層の両側に貼り合わせられ、  前記光伝導性材料層には、前記パターンが形成されている  ことを特徴とする請求項４に記載の端末装置。
【請求項８】
前記光伝導性材料層は、前記透明カバープレートと貼り合わせられていることを特徴とする請求項７に記載の端末装置。
【請求項９】
前記ＩＴＯ薄膜は、ＩＴＯ層およびＰＥＴ層を含み、  前記ＰＥＴ層は前記透明カバープレートと貼り合わせられ、  前記ＰＥＴ層の前記透明カバープレートと貼り合わせられた側に、前記パターンを形成するための凹凸点が形成されている  ことを特徴とする請求項４に記載の端末装置。
【請求項１０】
前記透明カバープレートが保護ガラスであることを特徴とする請求項４に記載の端末装置。
【請求項１１】
前記ＩＴＯ薄膜は、前記透明カバープレートと前記ＬＣＤモジュールとの間に位置していることを特徴とする請求項４に記載の端末装置。   
【発明の詳細な説明】
【技術分野】
【０００１】
本発明は、電子技術の分野に属し、特にＩＴＯ薄膜および端末装置に関する。
【背景技術】
【０００２】
電子技術の発展に伴い、フルタッチパネルの端末装置が非常に普及されている。そして、端末装置全体の美しさのために、タッチもキー領域において実現されている。  
【０００３】
関連技術では、表示領域とキー領域におけるタッチを実現するために、酸化インジウムスズ（Ｉｎｄｉｕｍ  Ｔｉｎ  Ｏｘｉｄｅ：ＩＴＯ）薄膜は重要な技術である。ＩＴＯ薄膜は、高い導電率、高い可視光透過率、高い機械的硬度および優れた化学的安定性を有するｎ型半導体材料である。したがって、ＩＴＯ薄膜は、液晶ディスプレイ（ＬＣＤ）、プラズマディスプレイ（ＰＤＰ）、エレクトロルミネセンスディスプレイ（ＥＬ／ＯＬＥＤ）、タッチパネル（ＴｏｕｃｈＰａｎｅｌ）、太陽電池および他の電子機器の透明電極に最もよく使用される薄膜材料である。  
【０００４】
キー領域のキーは、タッチされないとき点灯されなく、タッチされるとき点灯される。各キーの輝度を均一にするために、通常に導光フィルム（Ｌｉｇｈｔ  Ｇｕｉｄｅ  Ｆｉｌｍ：ＬＧＦ）を使用する必要がある。導光フィルムは、発光ダイオード（Ｌｉｇｈｔ−Ｅｍｉｔｔｉｎｇ  Ｄｉｏｄｅ：ＬＥＤ）の点光源を面光源に変換するための製品である。導光フィルムは、携帯電話のキーのバックライトに適用され、超薄、発光の均一化、多くの色変化等の特性を有する。
【発明の概要】
【発明が解決しようとする課題】
【０００５】
ＩＴＯ薄膜に導光フィルムが積層されている場合、端末装置の厚さを必ず増加させてしまう。
【課題を解決するための手段】
【０００６】
従来の関連技術の問題点を解決するために、本発明は、ＩＴＯ薄膜および端末装置を提供する。  
【０００７】
本発明に係る実施例の第１の態様によれば、本発明は、ＩＴＯ薄膜を提供しており、当該ＩＴＯ薄膜は、光拡散用のパターンを含む。  
【０００８】
本発明の実施例では、ＩＴＯ薄膜と導光フィルムとを一体化することにより、厚さを薄くすることができる。  
【０００９】
前記ＩＴＯ薄膜は、ＩＴＯ層、光伝導性材料層およびＰＥＴ層を含み、前記ＩＴＯ層、および前記光伝導性材料層は、それぞれ、前記ＰＥＴ層の両側に貼り合わせられ、前記光伝導性材料層には、前記パターンが形成されている。  
【００１０】
本発明の実施例では、ＩＴＯ層、および光伝導性材料層を同一のＰＥＴ層上に貼り合わせることにより、厚さを薄くすることができる。  
【００１１】
前記ＩＴＯ薄膜は、ＩＴＯ層およびＰＥＴ層を含み、  前記ＰＥＴ層の前記ＩＴＯ層側と反対の側に、前記パターンを形成するための凹凸点が形成されている。  
【００１２】
本発明の実施例では、ＰＥＴ層の一側に凹凸点が設計されることにより、光伝導性材料を省略し、ＩＴＯ薄膜の厚さを更に薄くすることができる。  
【００１３】
本発明に係る実施例の第２の態様によれば、本発明は、端末装置を提供し、前記端末装置は、  タッチパネルを備え、  前記タッチパネルは、透明カバープレート、ＩＴＯ薄膜およびＬＣＤモジュールを含み、  前記透明カバープレートは、前記ＬＣＤモジュールと貼り合わせられ、  前記ＩＴＯ薄膜は、光拡散用のパターンを備え、且つ、前記透明カバープレートと貼り合わせられ、  前記ＩＴＯ薄膜と前記透明カバープレートとの貼り合わせ位置は、前記端末装置のキー領域に位置している。  
【００１４】
本発明の実施例では、光拡散用のパターンを有するＩＴＯ薄膜を、端末装置のキー領域に位置させることにより、キー領域の厚さを薄くすることができ、キーに、良好なタッチ効果および表示効果を有させることができる。  
【００１５】
前記パターンは、前記キー領域のキーの位置における部分が、キー以外の位置における部分より密集している。  
【００１６】
本発明の実施例では、パターンの不均一な分布により、キー上における光の表示均一性を向上させることができる。  
【００１７】
また、前記端末装置は、さらに、前記キー領域の延在方向の側面に位置する少なくとも１つの発光部品を含み、  前記パターンは、前記発光部品からの距離が遠い部分ほど密集している。  
【００１８】
本発明の実施例では、発光部品の位置に応じてパターンを設計することにより、さらに表示効果を向上させることができる。  
【００１９】
前記ＩＴＯ薄膜は、ＩＴＯ層、光伝導性材料層、およびＰＥＴ層を含み、  前記ＩＴＯ層、および前記光伝導性材料層は、それぞれ、前記ＰＥＴ層の両側に貼り合わせられ、  前記光伝導性材料層には、前記パターンが形成されている。  
【００２０】
本発明の実施例では、ＩＴＯ層および光伝導性材料層を同一のＰＥＴ層上に貼り合わせることにより、厚さを薄くすることができる。  
【００２１】
前記光伝導性材料層は、前記透明カバープレートと貼り合わせられている。  
【００２２】
本発明の実施例では、光伝導性材料層と透明カバープレートとを貼り合わせることにより、ＩＴＯ層の回路を簡単に設計することができる。  
【００２３】
前記ＩＴＯ薄膜は、ＩＴＯ層およびＰＥＴ層を含み、  前記ＰＥＴ層は前記透明カバープレートと貼り合わせられ、  前記ＰＥＴ層の前記透明カバープレートと貼り合わせられた側に、前記パターンを形成するための凹凸点が形成されている。
【発明の効果】
【００２４】
本発明に係る実施例により提供された技術案は、次の有益な効果を有する。  
【００２５】
一方で、本発明の実施例では、ＰＥＴ層の一側に凹凸点が設計されることにより、光伝導性材料を省略し、ＩＴＯ薄膜の厚さをさらに薄くすることができる。また、透明カバープレートが保護ガラスであってもよい。  
【００２６】
他方で、本発明の実施例では、保護ガラスを使用するので、透明度が高く、プロセスの実現が簡単である。前記ＩＴＯ薄膜は、前記透明カバープレートと前記ＬＣＤモジュールとの間に位置している。  
【００２７】
本発明の実施例では、当該技術案を使用することにより、空間を十分に活用することができ、空間の使用率を向上させ、端末装置の厚さおよび長さを減少する。  
【００２８】
以上の一般的な記述及び以下の詳細な記述は、例示的なものに過ぎず、本発明を限定するものではないと理解すべきである。
【図面の簡単な説明】
【００２９】
ここの図面は明細書に合併されて明細書の一部を構成し、本発明に符合する実施例を例示して、明細書に合わせて本発明の原理を解釈する。
【図１Ａ】例示的な実施例に係るＩＴＯ薄膜を示す模式図である。
【図１Ｂ】例示的な実施例に係る光伝送を示す模式図である。
【図２Ａ】例示的な実施例に係るＩＴＯ薄膜を示す第１側断面図である。
【図２Ｂ】例示的な実施例に係るＩＴＯ薄膜を示す第２側断面図である。
【図３】例示的な実施例に係る端末装置を示す第１模式図である。
【図４Ａ】例示的な実施例に係る端末装置を示す第２模式図である。
【図４Ｂ】例示的な実施例に係る端末装置を示す第３模式図である。
【図５】例示的な実施例に係る端末装置を示す第４模式図である。
【図６】例示的な実施例に係るパターンを示す第１模式図である。
【図７】例示的な実施例に係るパターンを示す第２模式図である。
【図８】例示的な実施例に係る端末装置を示すブロック図である。  上記図面を通じて本発明の明確な実施例を例示し、以下にさらに詳しく記述する。このような図面と文字記述は本発明の旨の範囲を制限するものではなく、特定の実施例を参照することによって、本技術分野の当業者に本発明の概念を理解させるためのものである。
【発明を実施するための形態】
【００３０】
以下、本発明の目的、技術案及び利点をより明瞭にするために、実施形態及び図面を併せて、本発明について更に詳細に説明する。ここで、本発明の模式的な実施形態及びその説明は、本発明を解釈するためのものであり、本発明を制限するものではない。  
【００３１】
本発明の実施例は、ＩＴＯ薄膜および端末装置を提供し、以下、図面を参照して本発明を詳細に説明する。  
【００３２】
本発明の実施例において、ＩＴＯ薄膜と導光フィルムとを一体化することにより、厚さを薄くすることができる。  
【００３３】
本発明の発明者らは、ＩＴＯ薄膜がｎ型半導体材料であり、ＰＥＴ膜を基材とする材料であることを見出した。ＰＥＴ膜は、耐高温性のポリエステルフィルムともいう。ＰＥＴ膜は、優れた物理的特性、化学的特性、および寸法安定性、透明性、リサイクル性を有しており、磁気記録、感光性材料、電子、電気絶縁、産業用フィルム、包装用装飾等の分野に広く適用される。また、導光フィルム（ＬＧＦ）も、ＰＥＴ膜を基材とする材料である。したがって、ＩＴＯ薄膜と導光フィルムとを一体化することにより、光拡散用のパターンを有するＩＴＯ薄膜を得ることができる。  
【００３４】
一実施例において、例えば、図１Ａに示すように、ＩＴＯ薄膜は、光拡散用のパターンを含む。光拡散用のパターンを明瞭的に示すために、図１Ａには、ＩＴＯ材料は示されていない。  
【００３５】
一実施例において、例えば、図１Ｂに示すように、ＩＴＯ薄膜は、ＰＥＴ層２０３を備えており、光拡散用パターン１０１は、ＰＥＴ層２０３をベースに形成される。ＰＥＴ層２０３は、非常に薄いが、一定の厚さ、約０．１ｍｍを有する。光照射の条件下で、少なくとも一部の光１０２は、ＰＥＴ層２０３内に全反射される。例えば、図１Ｂに示すように、光１０２は、ＰＥＴ層２０３の上下の２つの表面で直接全反射される。光をＰＥＴ層２０３から射出させる必要がある場合、入射角または材料密度（即ち、屈折率）を変更しても良い。本実施例では、光が射出する位置は、パターン１０１が形成されている位置である。入射角を変更する方式として、例えば、ＰＥＴ層２０３の表面に凹点、凸点、または凹点および凸点の両者（以下、凹凸点と略称）を設計することができる。光１０２が凹凸点へ入射するときの入射角は、全反射の条件を満たさなければよい。材料密度を変更する方式として、例えば、ＰＥＴ層２０３の表面に他の材料を印刷してパターン１０１を形成する。印刷した材料の密度は、ＰＥＴ層２０３の材料密度より大きければよい。以
下の実施例により、ＩＴＯ薄膜の詳細な構造を理解することができる。  
【００３６】
一実施例において、図２Ａに示すように、ＩＴＯ薄膜２００は、ＩＴＯ層２０１、光伝導性材料層２０２、およびＰＥＴ層２０３を含んでおり、ＩＴＯ層２０１および光伝導性材料層２０２は、それぞれ、ＰＥＴ層２０３の両側に貼り合わせられ、光伝導性材料層２０２には、前記パターンが形成されている。  
【００３７】
ＩＴＯ層２０１は、複数のＩＴＯ材料の透明電極２０１１から構成されている。透明電極２０１１の形状および分布は、導電性能と関係があり、実際の要求に応じて設計することができる。  
【００３８】
光伝導性材料層２０２は、複数の光伝導性材料の導光点２０２１から構成されている。各導光点２０２１のパターンは、同じであってもよいし、異なってもよい。各導光点２０２１の分布は、均一であってもよいし、不均一であってもよい。導光点２０２１の面積および形状を様々的に変化させることができる。光線は、導光点２０２１に入射するとき、全反射および乱反射を発生している。導光点２０２１内部のパターンが密集しているほど、また各導光点２０２１の間が密集しているほど、反射される光の量が多くなる。導光点２０２１の材料は、光を吸収しないインク材料であってもよく、この場合、光の反射効果が良好になる。  
【００３９】
ＰＥＴ層の材料は、ポリカーボネート（Ｐｏｌｙｃａｒｂｏｎａｔｅ：ＰＣ）、またはポリメチルメタクリレート（Ｐｏｌｙｍｅｔｈｙｌ  Ｍｅｔｈａｃｒｙｌａｔｅ：ＰＭＭＡ）樹脂を使用してもよい。  
【００４０】
本発明の実施例におけるＩＴＯ薄膜は、端末装置の厚さを薄くするために、端末装置に適用されることができる。  
【００４１】
一実施例では、図２Ｂに示すように、ＩＴＯ薄膜２００は、ＩＴＯ層２０１およびＰＥＴ層２０３を含む。  
【００４２】
ＰＥＴ層２０３のＩＴＯ層２０１側と反対の側に、光拡散用のパターンを形成するための凹凸点２０３１が形成されている。  
【００４３】
ＰＥＴ層の一側に凹凸点が設計されることにより、光伝導性材料を省略し、さらにＩＴＯ薄膜の厚さを薄くすることができる。  
【００４４】
凹点および凸点の形状は、方形、円形、または他の形状に限定されるものではない。凸点および凹点のサイズは、同じであってもよいし、異なってもよい。凸点および凹点の高さは、反射の効果と関係があり、実際の要求に応じて設定されることができる。凹点の凹面および凸点の凸面は、平面、弧形面、またはＶ字状の面であってもよい。  
【００４５】
一実施例において、図３、図４Ａおよび図４Ｂに示すように、端末装置は、タッチパネルを含む。  
【００４６】
タッチパネルは、透明カバープレート３０２、ＩＴＯ薄膜２００、およびＬＣＤモジュール３０３を含む。  
【００４７】
透明カバープレート３０２とＬＣＤモジュール３０３が貼り合わせられている。ＬＣＤモジュール３０３が表示領域、および駆動領域を含み、ＬＣＤモジュール３０３の表示領域は透明カバープレート３０２と貼り合わせられている。ＬＣＤモジュール３０３の表示領域と駆動領域との厚さが異なっているため、ＬＣＤモジュール３０３の駆動領域と透明カバープレート３０２との間に隙間が形成されている。ＬＣＤモジュール３０３の駆動領域は、キー領域３０１に位置する。  
【００４８】
ＩＴＯ薄膜２００は、光拡散用のパターンを備え、且つ透明カバープレート３０２と貼り合わせられ、ＩＴＯ薄膜２００と透明カバープレート３０２の貼り合わせ位置は、端末のキー領域３０１に位置している。  
【００４９】
キー領域３０１には、例えば、メニューキー、バックキー、およびホームキー等のファンクションキーのアイコンが含まれる。ＩＴＯ薄膜２００に含まれた透明電極２０１１により、メニューキー、バックキー、およびホームキーを実現することができる。  
【００５０】
光拡散用のパターンを有するＩＴＯ薄膜を端末装置のキー領域に設置することにより、キー領域の厚さを薄くすることができ、且つキーに、より良いタッチ効果および表示効果を有させる。  
【００５１】
ＩＴＯ薄膜および導光フィルムが使用される場合、ＩＴＯ薄膜および導光フィルムは、厚さが大きすぎるため、ＬＣＤモジュール３０３の駆動領域と透明カバープレート３０２との間の隙間に設置されることができず、ＩＴＯ薄膜がキー領域３０１において使用されることができなくなってしまう。しかしながら、本実施例に係るＩＴＯ薄膜は、非常に薄く、且つＩＴＯ薄膜と導光フィルムとの両方の特性を兼ねるので、当該隙間に設置されることができる。これにより、ＩＴＯ薄膜がキー領域３０１において使用されることが実現された。  
【００５２】
本実施例では、図５に示すように、ＩＴＯ薄膜２００は透明カバープレート３０２と貼り合わせられるので、ＩＴＯ薄膜の位置を容易に固定することができる。そして、透明カバープレート３０２を製造する場合、ＩＴＯ薄膜２００を粘着することができるので、簡単に処理することができる。  
【００５３】
透明カバープレート３０２は、保護ガラスであり、その透明度も硬度も良好であり、且つ製造プロセスが簡単で、コストが低い。  
【００５４】
図２Ａに示すように、ＩＴＯ薄膜２００が光伝導性材料層２０２を含む場合、その光伝導性材料層２０２は、ＩＴＯ層の回路を容易に設計するために、透明カバープレート３０２と貼り合わせられている。  
【００５５】
図６に示すように、キー領域３０１において、ＩＴＯ薄膜２００上のパターンは、キーの位置における部分が、キー以外の位置における部分より密集しているため、キー上の光の表示均一性を向上させることができる。  
【００５６】
図２Ｂに示すように、ＩＴＯ薄膜２００が光伝導性材料層２０２を含まない場合、そのＰＥＴ層２０３は透明カバープレート３０２と貼り合わせられている。ＰＥＴ層２０３の透明カバープレート３０２と貼り合わせられる側に、前記パターンを形成するための凹凸点が形成されている。凹凸点は、キー領域３０１のキーの位置における部分が、キー以外の位置における部分より密集しているため、キー上の光の表示均一性を向上させることができる。  
【００５７】
図４に示すように、端末装置は、キー領域３０１の延在方向の側面に位置する少なくとも１つの発光部品を含む。本実施例では、キー領域３０１の延在方向の両側に位置する２つの発光部品３０４および３０５を例として説明している。発光部品３０４および３０５は、ＬＥＤ（発光ダイオード）等であってもよい。発光部品３０４および３０５をＩＴＯ薄膜２００上に附着することにより、キー領域３０１に照明を提供し、且つ、達成のプロセスが簡単であり、加工のコストも低い。  
【００５８】
ＩＴＯ薄膜２００上のパターンは図７に示される。ＩＴＯ薄膜２００上のパターンは、発光部品３０４および３０５からの距離が遠い部分ほど密集するように設計することにより、さらに表示効果を向上させることができる。  
【００５９】
キーのカラー効果を実現するために、ＰＥＴ層２０３はカラー材料を使用してもよい。  
【００６０】
図８は、本発明の実施例に係る端末装置（要求端末または関連端末であってもよい）の構成を模式的に示すブロック図である。  
【００６１】
端末装置８００には、通信ユニット１１０、コンピューターが読み取り可能な記録媒体を一つ以上含むメモリ１２０、入力ユニット１３０、表示ユニット１４０、センサー１５０、オーディオ回路１６０、無線通信ユニット１７０、一つ以上の処理コアを有するプロセッサ１８０、および電源１９０等の部品を含む。当業者は、図に示す端末装置の構成は端末装置に対する限定ではなく、当該端末装置が、図示した部品より多い数、または少ない数の部品を備えてもよく、或いは、幾つかの部品の組み合わせ、または異なる部品配置を有してもよいことを理解すべきである。  
【００６２】
通信ユニット１１０は、情報の送受信または通話中において、信号を受信及び送信するためのものである。当該通信ユニット１１０は、ＲＦ（Ｒａｄｉｏ  Ｆｒｅｑｕｅｎｃｙ）回路、ルーター、モデム等のネットワーク通信装置であってもよい。特に、通信ユニット１１０がＲＦ回路である場合、通信ユニット１１０は、基地局からの下り情報を受信した後、１つ、或いは１つ以上のプロセッサ１８０に渡して処理させる。また、上りデータを基地局に送信する。一般的に、通信ユニットとしてのＲＦ回路は、アンテナ、少なくとも１つのアンプ、チューナー、１つ又は複数の発振器、加入者識別モジュール（ＳＩＭ）カード、受発信機、カプラー、ＬＮＡ（Ｌｏｗ  Ｎｏｉｓｅ  Ａｍｐｌｉｆｉｅｒ、ローノイズアンプ）、デュプレクサ等を含むが、これらに限らない。なお、通信ユニット１１０は、無線通信でネットワーク又は他の装置と通信することができる。上記無線通信として、ＧＳＭ（登録商標）（Ｇｌｏｂａｌ  Ｓｙｓｔｅｍ  ｏｆ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＣＤＭＡ（Ｃｏｄｅ  Ｄｉｖｉｓｉｏｎ  Ｍｕｌｔｉｐｌｅ  Ａｃｃｅｓｓ）、ＷＣＤＭＡ（登録商標）（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、電子メール、ＳＭＳ（Ｓｈｏｒｔ  Ｍｅｓｓａｇｉｎｇ  Ｓｅｒｖｉｃｅ）等を含む任意の通信規格またはプロトコルを利用してもよいが、これらに限らない。メモリ１２０は、ソフトウェアプログラム及びモジュールを記憶するためのものであり、プロセッサ１８０は、メモリ１２０に記憶されたソフトウェア・プログラム及びモジュールを実行することで、各種機能のアプリ及びデータ処理を実施する。メモリ１２０には、主に、プログラム記憶領域とデータ記憶領域を有する。プログラム記憶領域には、ＯＳ、少なくとも１つの機能を実行するアプリ（例えば、音声再生機能、画像再生機能等）等が記憶される。データ記憶領域には、端末装置８００の使用により作成されたデータ（例えば、オーディオデータ、電話帳等）等が記憶される。また、メモリ１２０は、高速ＲＡＭ（Ｒａｎｄｏｍ  Ａｃｃｅｓｓ  Ｍｅｍｏｒｙ）を含んでもよく、さらに、例えば少なくとも１つの磁気ディスクメモリ、フラッシュメモリなどの不揮発性メモリ、または他の揮発性のＳＳＤ（ｓｏｌｉｄ  ｓｔａｔｅ  ｄｒｉｖｅ）メモリを含んでもよい。また、メモリ１２０は、プロセッサ１８０及び入力ユニット１３０がメモリ１２０にアクセスできるように、メモリ制御器をさらに含んでもよい。  
【００６３】
入力ユニット１３０は、数字或いはキャラクター情報の入力の受け付け、及び、ユーザ設定及び機能制御に関するキーボード、マウス、ジョイスティック、光学ボールやトラックボールにより信号入力を発生させるためのものである。入力ユニット１３０は、タッチセンシティブ表面１３１及び他の入力装置１３２を含んでもよい。タッチセンシティブ表面１３１は、タッチパネルやタッチパッドとも呼ばれ、ユーザがその表面上や付近に対するタッチ操作（例えば、ユーザが指やタッチペンなどの任意の適した物や付属品を使用して、タッチセンシティブ表面１３１上やタッチセンシティブ表面１３１付近に対して行う操作）を収集するとともに、予め設定されたプログラムにしたがって、関連する接続装置を駆動する。タッチセンシティブ表面１３１は、選択的に、タッチ検出手段及びタッチ制御器の２つの部分を含んでもよい。ここで、タッチ検出手段は、ユーザのタッチ位置を検出するとともに、タッチ操作による信号を検出し、そのタッチ情報をタッチ制御器に送信する。タッチ制御器は、タッチ検出手段からタッチ情報を受信し、当該情報を接触点座標に変換してプロセッサ１８０に送信するとともに、プロセッサ１８０からの命令を受信して実行する。なお、抵抗式、容量式、赤外線式及び表面弾性波式などの様々な方式によりタッチセンシティブ表面１３１を実現することができる。入力ユニット１３０は、タッチセンシティブ表面１３１に加えて、他の入力装置１３２をさらに含んでもよい。他の入力装置１３２は、物理的なキーボード、ファンクションキー
（例えば、ボリュームキー、スイッチキー等）、トラックボール、マウス、ジョイスティック等の中の一つ又は複数を含んでもよいが、これらに限らない。  
【００６４】
表示ユニット１４０は、ユーザが入力した情報やユーザに提供する情報、及び端末装置８００の各種のグラフィカル・ユーザー・インターフェース（ＧＵＩ）を表示するためのものである。これらのグラフィカル・ユーザー・インターフェースは、図形、テキスト、アイコン、ビデオ及びそれらの任意の組合せで構成されることができる。表示ユニット１４０は、表示パネル１４１を含む。表示パネル１４１は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）等の形態で構成されてもよい。さらに、タッチセンシティブ表面１３１は、表示パネル１４１を覆うように設けられる。タッチセンシティブ表面１３１がその表面または付近に対するタッチ操作を検出すると、その検出結果をプロセッサ１８０に転送してタッチイベントのタイプを確認させ、その後、プロセッサ１８０は、タッチイベントのタイプに基づいて、表示パネル１４１上に対応する視覚的出力を提供するように構成されてもよい。図８において、タッチセンシティブ表面１３１と表示パネル１４１とが２つの独立した部品として出力及び入力の機能を実現するように構成されているが、タッチセンシティブ表面１３１と表示パネル１４１とを集積構成して入力及び出力機能を実現する実施例もあり得る。  
【００６５】
端末装置８００は、さらに、例えば光センサー、運動センサー及び他のセンサーなどの、少なくとも１つのセンサー１５０を含んでもよい。光センサーは、環境光センサーと近接センサーを含んでもよい。環境光センサーは、環境光の明るさに基づいて、表示パネル１４１の輝度を調整することができる。近接センサーは、端末装置８００がユーザの耳元まで移動すると、表示パネル１４１及び／又はバックライトをオフする。運動センサーの一種としての重力加速度センサーは、各方向（一般的には、３軸）における加速度の大きさを検出することができ、静止の状態では、重力の大きさ及びその方向を検出することができるので、携帯電話の姿勢を認識するアプリ（例えば、画面の横縦向きの切り替え、ゲーム、磁力計の姿勢校正）、振動認識に関する機能（例えば、歩数計、パーカッション）等に使用される。端末装置８００には、さらに、ジャイロスコープ、気圧計、湿度計、温度計、赤外線センサー等のほかのセンサーが備えられるが、ここで、その具体的な説明は省略する。  
【００６６】
オーディオ回路１６０、スピーカ１６１、マイク１６２は、ユーザと端末装置８００との間のオーディオインタフェースを提供する。オーディオ回路１６０は、受信したオーディオデータから変換された電気信号をスピーカ１６１に転送し、スピーカ１６１により音声信号に変換して出力する。一方、マイク１６２は、収集した音声信号を電気信号に変換しする。オーディオ回路１６０が当該電気信号を受信した後オーディオデータに変換し、オーディオデータをプロセッサ１８０に転送して処理してから、ＲＦ回路１１０を介して例えば他の端末装置に転送するか、或いはオーディオデータをメモリ１２０に送信して更に処理を行うようにする。オーディオ回路１６０は、端末装置８００が外部のイヤホンと通信できるように、イヤホン挿入孔を含んでもよい。  
【００６７】
当該端末装置は、無線通信を実現するために、無線通信ユニット１７０を備えてもよい。当該無線通信ユニット１７０は、ＷｉＦｉ（ｗｉｒｅｌｅｓｓ  ｆｉｄｅｌｉｔｙ）モジュールであってもよい。ＷｉＦｉは近距離無線通信技術に属し、ユーザに無線のブロードバンドインターネットアクセスを提供するので、ユーザは、端末装置８００の無線通信ユニット１７０を利用して、電子メールの送受信、ウェブの閲覧、ストリーミングメディアのアクセス等を行なうことができる。図において無線通信ユニット１７０を示しているが、当該無線通信ユニット１７０は、端末装置８００にとって不可欠な構成ではなく、本発明の趣旨を変更しない範囲内で必要に応じて省略することができる、ことを理解すべきである。  
【００６８】
プロセッサ１８０は、端末装置８００の制御センターであり、各種のインタフェース及び回路を介して携帯電話全体の各部と接続されている。メモリ１２０内に格納されたソフトウェアプログラム及び／又はモジュールを実行または作動させるとともに、メモリ１２０内に格納されたデータを呼び出すことによって、端末装置８００の各種機能の実行及びデータの処理を実現することで、プロセッサ１８０は端末装置全体をコントロールする。プロセッサ１８０は、１つ又は複数の処理コアを含んでもよい。プロセッサ１８０は、アプリプロセッサとモデムプロセッサを集積して構成されてもよい。ここで、アプリプロセッサは、主に、ＯＳ、ユーザインタフェース、及びアプリなどを処理し、モデムプロセッサは、主に、無線通信を処理する。また、上記モデムプロセッサがプロセッサ１８０に集積されなくてもよいことを理解すべきである。  
【００６９】
端末装置８００は、さらに、各部に電力を供給する電源１９０（例えば、バッテリー）を含む。当該電源１９０は、電源管理システムを介してプロセッサ１８０にロジック的に接続されることにより、電源管理システムを介して充電・放電管理、及び電力管理等の機能を実現することができる。電源１９０は、さらに、１つ或いは１つ以上の直流又は交流電源、再充電システム、電源故障検出回路、電源コンバータ又はインバータ、電源状態インジケータ等の任意のアセンブリを含んでもよい。  
【００７０】
端末装置８００は、図示してはないが、カメラ、ブルートゥース（登録商標）モジュール等をさらに含んでもよいが、ここで、その具体的な説明は省略する。  
【００７１】
端末装置８００は、光拡散用のパターンを有するＩＴＯ薄膜を含み、前記ＩＴＯ薄膜は、端末装置のキー領域に位置している。  
【００７２】
前記パターンは、キー領域のキーの位置における部分が、キー以外の位置における部分より密集している。  
【００７３】
また、前記端末装置８００は、キー領域の延在方向の側面に位置する少なくとも１つの発光部品を更に含み、  前記パターンは、発光部品からの距離が遠い部分ほど密集している。  
【００７４】
前記ＩＴＯ薄膜は、ＩＴＯ層、光伝導性材料層、およびＰＥＴ層を含み、前記ＩＴＯ層、および前記光伝導性材料層は、それぞれ、前記ＰＥＴ層の両側に貼り合わせられ、光伝導性材料層には、前記パターンが形成されている。  
【００７５】
前記端末装置は、前記ＩＴＯ薄膜と貼り合わせられる保護ガラスをさらに含む。  前記光伝導性材料層は、前記保護ガラスと貼り合わせられている。  前記端末装置は、ＬＣＤモジュールをさらに含み、前記ＩＴＯ薄膜は、前記保護ガラスと前記ＬＣＤモジュールとの間に位置している。  さらに、本開示で説明された一般的な携帯端末は、携帯電話や携帯情報端末（Ｐｅｒｓｏｎａｌ  Ｄｉｇｉｔａｌ  Ａｓｓｉｓｔａｎｃｅ：ＰＤＡ）等の様々なハンドヘルド携帯端末であってもよい。本開示の範囲は、特定のタイプの携帯端末に限定されるものではない。  
【００７６】
以上の開示内容により、本発明の実施例を例示的に示しているが、請求項により限定される本発明の範囲を逸脱しない限り、多種の変更及び修正を行うことができる。なお、本発明に係る要素は、個体として記載又は要求されているが、単数であると明確に限定されていない限り、複数であってもよい。  
【００７７】
上記の具体的な実施形態において、本発明の目的、技術案及び有益な効果について更に詳細に説明しているが、上記の内容は、本発明の具体的な実施形態であって、本発明の保護範囲に対する限定ではなく、本発明の趣旨及び原則範囲内で行われる任意の修正、均等の取替、改良などは、その何れも本発明の保護範囲に含まれるべきである、ということを理解すべきである。  
【００７８】
本願は、出願番号が２０１３１０４９２７１０．６であって、出願日が２０１３年１０月１８日である中国特許出願に基づき優先権を主張し、当該中国特許出願のすべての内容を本願に援用する。 
【図１Ａ】
2015534698.tif 000003
【図１Ｂ】
2015534698.tif 000004
【図２Ａ】
2015534698.tif 000005
【図２Ｂ】
2015534698.tif 000006
【図３】
2015534698.tif 000007
【図４Ａ】
2015534698.tif 000008
【図４Ｂ】
2015534698.tif 000009
【図５】
2015534698.tif 000010
【図６】
2015534698.tif 000011
【図７】
2015534698.tif 000012
【図８】
2015534698.tif 000013
【国際調査報告】
2015534698.tif 000014
2015534698.tif 000015
2015534698.tif 000016
2015534698.tif 000017